(57)【要約】      （修正有）【課題】衣類が常に洗濯槽の槽壁に打ちつけられて傷む程度を効果的に抑制可能なジェット水流式洗濯機を提供する。【解決手段】スクリュー回転ロッド及び保護カバー２を含み、スクリュー回転ロッドは表面にスクリュー部１１を持つ。保護カバー２の内部スペースには回転運動するスクリュー回転ロッドを収納する。カバー本体には多数の穴２１が設けらる。スクリュー回転ロッドと保護カバー２の組合せが、洗濯槽内３の底部に設置され、スクリュー回転ロッドの下部は内槽３から突き出し、洗濯機の伝動装置４に連結されて動く。保護カバー２はその内槽３の底部に固定されている。使用時、内槽３に注水した状態下で、スクリュー回転ロッドが旋回してその周囲の水流をかき回し、外側の保護カバー２の多数の穴２１から高速射出し、槽内の水中による高速水流が衣類を突き抜け、連続的に反復周期運転する事で、衣類を洗浄し洗い落とす。【選択図】図４
0003113725.tif 000002
【実用新案登録請求の範囲】
【請求項１】
ジェット水流式洗濯機であって、
１つのスクリュー回転ロッド、及び１つの保護カバーを含み、
スクリュー回転ロッドは表面にスクリュー部を有し、
保護カバーの内部スペースには回転運動するスクリュー回転ロッドを収容する事が可能であり、且つカバー本体には多数の穴が設けられ、
スクリュー回転ロッドとその保護カバーの組み合わせは、洗濯槽内の底部に設置され、スクリュー回転ロッドの下部は内槽から突き出し、洗濯機の伝動装置と連結して動き、保護カバーはその内槽底部に固定され、
内槽に注水した状態下で使用され、スクリュー回転ロッドが旋回し、周囲の水流をかき回し、外側の保護カバーの多数の穴から高速射出する事により、槽内の水中に形成された微細な高速水流が衣類を突き抜け、
連続的に反復周期運転する事により、衣類を洗浄し洗い落とし、衣類が傷む率の抑制を達成することを特徴とするジェット水流式洗濯機。
【考案の詳細な説明】
【技術分野】
【０００１】
本考案は、ジェット水流式洗濯機に関し、特に衣類が常に洗濯槽の槽壁に打ちつけられて傷む程度を効果的に抑制可能なジェット水流式洗濯機に関する。
【背景技術】
【０００２】
洗濯機は高度の便利性を持つので、現代生活においてすでに不可欠な家庭の生活用品になっている。そのため業者も絶え間なく新機種を開発し、早期の２槽式洗濯機から単槽式に発展している。そして最も普遍的な機種は洗濯槽の底部に回転盤を使用し、水流をかきまぜる事で、衣類を洗浄し洗い落とすというプロセスを実行する（第一図参照）。またかくはん棒を使用する機種は、洗濯槽中にかくはん棒を設置し、そのかくはん棒の周囲についたかくはん翼が、旋転時水流をかき回す事で衣類をきれいにする。回転盤を使用するのであれ、かくはん棒を使用する方式であれ、強力な水流に従って衣類を動かし、槽内に旋回やねじれ等を起こして洗浄効果を達成する。この種の構造はもとより一定の洗浄効果を持つ。
【考案の開示】
【考案が解決しようとする課題】
【０００３】
しかしながら衣類は、常に水流に従って絶え間なく強烈に槽壁に打ちつけられ、長く使用すると容易に衣類、特にえりや袖口等の場所に傷みを生じる。
【０００４】
また、ドラム式の機種は、ドラム状の洗濯槽が衣類を絶え間なく回転させ、ドラム中の高所から落下させ、ねじれて打ちつけられるのを利用して洗浄の目的を達成する。ただ、この種の洗浄方式も同様に衣類の傷みを起こす。
【０００５】
したがって本考案の目的は、衣類が常に洗濯槽の槽壁に打ちつけられて傷む程度を効果的に抑制可能なジェット水流式洗濯機を提供することにある。
【課題を解決するための手段】
【０００６】
上述の目的を達成するために、本考案の請求項に記載のジェット水流式洗濯機は、主要構成部品には1つのスクリュー回転ロッド及び1つの保護カバーが含まれる。スクリュー回転ロッドはその表面にスクリュー部が設置されている。保護カバーの内部スペースには回転運動をするスクリュー回転ロッドを収容する事が可能で、カバー本体には多数の穴が設けられている。スクリュー回転ロッドと保護カバーの組み合わせは、洗濯槽内の底部に設置される。そのうちスクリュー回転ロッドの下部は内槽から突き出し、洗濯機の伝動装置と連結して動く。また、保護カバーは内槽底部に固定されている。内槽に注水した状態のもとで使用し、スクリュー回転ロッドが旋回してその周囲の水流をかき回すと、外側の保護カバーの多数の穴から高速射出され、槽内の水中に形成された微細な高速水流が衣類を突き抜ける。連続的に反復周期運転をする事で、衣類を洗浄し洗い落とし、並びに衣類が傷む率の抑制を達成する。
【考案を実施するための最良の形態】
【０００７】
以下、本考案の実施例を図面に基づいて説明する。
図２は本創作の主な構成部品の分解説明図で、１つのスクリュー回転ロッド１及び１つの保護カバー２を含む。そのうち、スクリュー回転ロッド１は表面にスクリュー部１１を持つ。保護カバー２の内部スペースには回転運動するスクリュー回転ロッド１を収納する事が可能である。カバー本体には多数の穴２１が設けられている。図３はその組立断面説明図である。
【０００８】
図４に示すように、スクリュー回転ロッド１と保護カバー２の組合せが、洗濯槽内３の底部に設置されている。また、スクリュー回転ロッド１の下部は内槽３から突き出し、洗濯機の伝動装置４に連結されて動く。そして保護カバー２はその内槽３の底部に固定されている。
【０００９】
図５、図６に示すように使用時、内槽３に注水した状態下で、スクリュー回転ロッド１が旋回してその周囲の水流をかき回し、外側の保護カバー２の多数の穴２１から高速射出する。並びに槽内の水中が形成する微細な高速水流が衣類を突き抜ける。連続的に反復周期運転する事で、衣類を洗浄し洗い落とす効果を達成する。
【００１０】
本実施例による作動方式は、水流をかき回して衣類をねじる方式で洗濯するのではない。且つ衣類を槽壁に打ちつけるのでもない。そのため、衣類の傷む率を効果的に抑制する事が可能である。
【００１１】
実際には、内槽３を固定し、スクリュー回転ロッド１の旋回を制御して抑制するのであれ、或いは内槽３が旋回し、スクリュー回転ロッド１を動かないよう固定しているのであれ、どちらもスクリュー回転ロッド１周囲の水流をかき回し、並びにその保護カバー２の多数の穴２１から高速射出する事が可能で、全て本実施例による可能な作動方式である。
【図面の簡単な説明】
【００１２】
【図１】従来の洗濯機を示す説明図である。
【図２】本考案の実施例によるジェット水流式洗濯機の主要構成部品を示す分解説明図である。
【図３】本考案の実施例によるジェット水流式洗濯機の主要構成部品を示す組立断面説明図である。
【図４】本考案の実施例によるジェット水流式洗濯機の主要構成部品と洗濯槽の結合状態を示す説明図である。
【図５】本考案の実施例によるジェット水流式洗濯機の応用説明図（１）である。
【図６】本考案の実施例によるジェット水流式洗濯機の応用説明図（２）である。
【符号の説明】
【００１３】
１  スクリュー回転ロッド、２  保護カバー、３  内槽、４  伝動装置、１１  スクリュー部、２１  穴
【図１】
0003113725.tif 000003
【図２】
0003113725.tif 000004
【図３】
0003113725.tif 000005
【図４】
0003113725.tif 000006
【図５】
0003113725.tif 000007
【図６】
0003113725.tif 000008